【手続補正書】
【提出日】平成22年7月27日(2010.7.27)
【手続補正１】
【補正対象書類名】特許請求の範囲
【補正対象項目名】全文
【補正方法】変更
【補正の内容】
【特許請求の範囲】
【請求項１】
複数のセンサ手段と、前記複数のセンサ手段から得られる検出結果に基づいて、座標入力領域内に位置する指示具の座標位置を求める計算手段とを備える座標入力装置であって、
前記計算手段により計算された座標位置が複数であるか否かを判断する判断手段と、
前記判断手段が複数であると判断した場合には、前記複数のセンサ手段のうち、前記指示具を操作する操作者の利き腕を示す利き腕情報に対応する１つのセンサ手段による検出結果に基づいて、前記計算手段が計算した複数の座標位置のうち１つを選択する選択手段と、
前記選択手段が選択した座標位置を示すデータを出力する出力手段と
を備えることを特徴とする座標入力装置。
【請求項２】
更に、
前記座標入力領域の周辺部に設けられ、入射光を再帰的に反射する反射手段を有し、
前記複数のセンサ手段は、前記座標入力領域に投光すると共に、前記反射手段により反射された反射光を受光し、
前記計算手段は、前記複数のセンサ手段から得られる光量分布に基づいて、前記座標入力領域内に位置する指示具の座標位置を求めることを特徴とする請求項１に記載の座標入力装置。
【請求項３】
前記選択手段は、
前記利き腕情報が左利きを示す場合には、前記座標入力領域の左側に位置するセンサ手段を選択し、前記利き腕情報が右利きを示す場合には、前記座標入力領域の右側に位置するセンサ手段を選択する第１の選択手段と、
前記第１の選択手段が選択したセンサ手段の光量分布から求められる複数の座標位置のうち、該センサ手段から見た角度が最も小さい１以上の座標位置を選択する第２の選択手段と、
前記１以上の座標位置のそれぞれについて、前記第１の選択手段が選択したセンサ手段の光量分布から得られる該座標位置における遮光範囲の幅と、前記指示具による遮光範囲として予め設定した幅とを比較することで、前記１以上の座標位置のうち１つを選択する第３の選択手段と
を備えることを特徴とする請求項２に記載の座標入力装置。
【請求項４】
複数のセンサ手段と、前記複数のセンサ手段から得られる検出結果に基づいて、座標入力領域内に位置する指示具の座標位置を求める計算手段とを備える座標入力装置であって、
前記計算手段により計算された座標位置が複数であるか否かを判断する判断手段と、
前記判断手段が複数であると判断した場合には、複数の座標位置を２つの座標位置から成るセット毎に分割し、セット毎に、該セット内の２つの座標位置間の距離を算出する算出手段と、
セット毎に算出した距離のうち、予め測定した前記指示具の操作者の腕の長さよりも小さい距離に対応するセットを選択するセット選択手段と、
前記セット選択手段が選択したセット内の２つの座標位置のうち、前記座標入力領域においてより上方に位置する座標位置を選択する座標位置選択手段と、
前記座標位置選択手段が選択した座標位置を示すデータを出力する出力手段と
を備えることを特徴とする座標入力装置。
【請求項５】
複数のセンサ手段と、前記複数のセンサ手段から得られる検出結果に基づいて、座標入力領域内に位置する指示具の座標位置を求める計算手段とを備える座標入力装置であって、
前記指示具を操作する操作者の位置を取得する取得手段と、
前記計算手段により計算された座標位置が複数であるか否かを判断する判断手段と、
前記判断手段が複数であると判断した場合には、前記複数のセンサ手段のうち、前記取得手段が取得した位置に対応する１つのセンサ手段による検出結果に基づいて、前記計算手段が計算した複数の座標位置のうち１つを選択する選択手段と、
前記選択手段が選択した座標位置を示すデータを出力する出力手段と
を備えることを特徴とする座標入力装置。
【請求項６】
複数のセンサ手段と、前記複数のセンサ手段から得られる検出結果に基づいて、座標入力領域内に位置する指示具の座標位置を求める計算手段とを備える座標入力装置における座標入力方法であって、
前記座標入力装置の判断手段が、前記計算手段により計算された座標位置が複数であるか否かを判断する判断工程と、
前記座標入力装置の選択手段が、前記判断工程で複数であると判断した場合には、前記複数のセンサ手段のうち、前記指示具を操作する操作者の利き腕を示す利き腕情報に対応する１つのセンサ手段による検出結果に基づいて、前記計算手段が計算した複数の座標位置のうち１つを選択する選択工程と、
前記座標入力装置の出力手段が、前記選択工程で選択した座標位置を示すデータを出力する出力工程と
を備えることを特徴とする座標入力方法。
【請求項７】
複数のセンサ手段と、前記複数のセンサ手段から得られる検出結果に基づいて、座標入力領域内に位置する指示具の座標位置を求める計算手段とを備える座標入力装置における座標入力方法であって、
前記座標入力装置の判断手段が、前記計算手段により計算された座標位置が複数であるか否かを判断する判断工程と、
前記座標入力装置の算出手段が、前記判断工程で複数であると判断した場合には、複数の座標位置を２つの座標位置から成るセット毎に分割し、セット毎に、該セット内の２つの座標位置間の距離を算出する算出工程と、
前記座標入力装置のセット選択手段が、セット毎に算出した距離のうち、予め測定した前記指示具の操作者の腕の長さよりも小さい距離に対応するセットを選択するセット選択工程と、
前記座標入力装置の座標位置選択手段が、前記セット選択工程で選択したセット内の２つの座標位置のうち、前記座標入力領域においてより上方に位置する座標位置を選択する座標位置選択工程と、
前記座標入力装置の出力手段が、前記座標位置選択工程で選択した座標位置を示すデータを出力する出力工程と
を備えることを特徴とする座標入力方法。
【請求項８】
複数のセンサ手段と、前記複数のセンサ手段から得られる検出結果に基づいて、座標入力領域内に位置する指示具の座標位置を求める計算手段とを備える座標入力装置における座標入力方法であって、
前記座標入力装置の取得手段が、前記指示具を操作する操作者の位置を取得する取得工程と、
前記座標入力装置の判断手段が、前記計算手段により計算された座標位置が複数であるか否かを判断する判断工程と、
前記座標入力装置の選択手段が、前記判断工程で複数であると判断した場合には、前記複数のセンサ手段のうち、前記取得工程で取得した位置に対応する１つのセンサ手段による検出結果に基づいて、前記計算手段が計算した複数の座標位置のうち１つを選択する選択工程と、
前記座標入力装置の出力手段が、前記選択工程で選択した座標位置を示すデータを出力する出力工程と
を備えることを特徴とする座標入力方法。
【手続補正２】
【補正対象書類名】明細書
【補正対象項目名】００２６
【補正方法】変更
【補正の内容】
【００２６】
即ち、複数のセンサ手段と、前記複数のセンサ手段から得られる検出結果に基づいて、座標入力領域内に位置する指示具の座標位置を求める計算手段とを備える座標入力装置であって、
前記計算手段により計算された座標位置が複数であるか否かを判断する判断手段と、
前記判断手段が複数であると判断した場合には、前記複数のセンサ手段のうち、前記指示具を操作する操作者の利き腕を示す利き腕情報に対応する１つのセンサ手段による検出結果に基づいて、前記計算手段が計算した複数の座標位置のうち１つを選択する選択手段と、
前記選択手段が選択した座標位置を示すデータを出力する出力手段と
を備えることを特徴とする。
【手続補正３】
【補正対象書類名】明細書
【補正対象項目名】００２７
【補正方法】削除
【補正の内容】
【手続補正４】
【補正対象書類名】明細書
【補正対象項目名】００２８
【補正方法】削除
【補正の内容】
【手続補正５】
【補正対象書類名】明細書
【補正対象項目名】００２９
【補正方法】削除
【補正の内容】
【手続補正６】
【補正対象書類名】明細書
【補正対象項目名】００３０
【補正方法】削除
【補正の内容】
【手続補正７】
【補正対象書類名】明細書
【補正対象項目名】００３１
【補正方法】削除
【補正の内容】
【手続補正８】
【補正対象書類名】明細書
【補正対象項目名】００３２
【補正方法】削除
【補正の内容】
【手続補正９】
【補正対象書類名】明細書
【補正対象項目名】００３３
【補正方法】削除
【補正の内容】
【手続補正１０】
【補正対象書類名】明細書
【補正対象項目名】００３４
【補正方法】削除
【補正の内容】
【手続補正１１】
【補正対象書類名】明細書
【補正対象項目名】００３５
【補正方法】削除
【補正の内容】
【手続補正１２】
【補正対象書類名】明細書
【補正対象項目名】００３６
【補正方法】削除
【補正の内容】
【手続補正１３】
【補正対象書類名】明細書
【補正対象項目名】００６５
【補正方法】変更
【補正の内容】
【００６５】
＜制御演算ユニット２について＞
センサユニット１Ｌ、１Ｒと制御演算ユニット２の間では主に、検出部４０内のラインＣＣＤ４１用のＣＣＤ制御信号、ＣＣＤ用クロック信号と出力信号及び投光部３０の赤外ＬＥＤ３１の駆動信号がやり取りされている。